(57)【要約】【課題】 着信時の発番号照合によりＣＮＧ信号検出を行わずに電話機接続またはファクシミリ接続を行い、ＣＮＧ信号検出が必要な発番号のみＣＮＧ信号検出を行う電話装置を提供する。【解決手段】 発番号受信手段Ｆ４１が受信した発番号と電話番号および着信種別を記憶した電話番号記憶手段Ｆ５４とを照合する着信種別分析手段Ｆ４４と、前記着信種別分析手段Ｆ４４の照合結果に基づき電話機接続またはファクシミリ接続を行う着信処理制御手段Ｆ４６とを具備し、特定電話番号はＣＮＧ信号検出を行わずに電話機接続またはファクシミリ接続を行いＣＮＧ信号検出が必要な電話番号のみＣＮＧ信号検出を行うことで、接続時間の短縮と誤接続の防止を図った。【選択図】 図２
2010062932.tif 000002
【特許請求の範囲】
【請求項１】
１以上の外線を収容する電話およびファクシミリ通信を行う電話装置において、
前記電話装置は前記外線からの着信時に発信者電話番号を受信する発番号受信手段と、ファクシミリ着信であるか否かを判定するＣＮＧ信号検出手段と、電話番号を電話専用番号またはファクシミリ専用番号または電話／ファクシミリ兼用番号の何れの着信種別であるかを識別して記憶する電話番号記憶手段と、前記電話番号記憶手段に記憶されていない発信者電話番号をファクシミリ着信の可能性のある番号または電話専用番号の何れであるかをＣＮＧ信号の有無によって分析する着信種別分析手段と、前記着信種別分析手段の分析結果に基づき前記電話番号記憶手段に電話番号および着信種別を登録する電話番号登録手段とを具備し、着信時の発信者電話番号が前記電話番号記憶手段に記憶されている電話番号と一致した場合に所定の着信処理を行う着信処理制御手段と、ファクシミリ着信が電話に接続してしまった場合に当該電話番号を電話専用番号から電話／ファクシミリ兼用番号に種別を所定の操作により変更する着信種別変更手段を備えたことを特徴とする電話装置。
【請求項２】
請求項１に記載の電話装置において、
前記着信種別分析手段は、前記電話番号記憶手段に記憶されていない発信者電話番号がファクシミリ着信の場合に当該発信者電話番号を一時記憶し、同一電話番号からの着信が所定の回数連続してファクシミリ着信であった場合はファクシミリ専用番号であると判断し、所定の回数連続してファクシミリ着信でなかった場合は電話／ファクシミリ兼用番号であると判断することを特徴とする電話装置。
【発明の詳細な説明】
【技術分野】
【０００１】
本発明は、電話／ファクシミリ着信識別機能を有する電話装置に関する。
【背景技術】
【０００２】
一般的にファクシミリ装置は１本の回線で電話とファクシミリを兼用できるようになっており、一定時間電話を呼び出してからファクシミリ受信に切り替わる電話優先自動切替モードやファクシミリ送信ガイダンスの送出およびＣＮＧ信号受信でファクシミリ受信を行うファクシミリ優先自動切替モードを具備しており、電話の着信およびファクシミリの着信の双方を受けられるようになっている。また、ファクシミリを内線に収容できるボタン電話システムまたはＰＢＸにおいても、システムの規模によっては一つの外線または電話番号を電話とファクシミリで兼用し、ファクシミリ装置のファクシミリ優先自動切替モードと同様に着信時はＣＮＧ信号の検出有無でファクシミリの着信動作／内線電話機の着信動作を分けているものもある。
【０００３】
しかしながら、電話優先自動切替モードの場合は相手がファクシミリの場合でもユーザが応答してファクシミリモードに切り替えるか着信鳴動開始から一定時間経過後にファクシミリ受信を開始するのでファクシミリ受信動作まで時間を要するという問題があり、ファクシミリ優先自動切替モードの場合はファクシミリ送信ガイダンスの送出やＣＮＧ信号の受信等で着信に応答する必要があり通信が成立しなかった場合でも発信者には料金が課金されてしまうという問題があった。また、電話機を呼び出す場合でもＣＮＧ信号検出時間が必要なため、電話機が着信するまで時間を要し相手を待たせる時間が長くなるという問題があった。
【０００４】
そこで、相手番号とファクシミリ装置の応答モードを短縮ダイヤル登録操作により事前に設定しておき、着信時の発信者番号に従ってファクシミリモードまたはファクシミリ優先自動切替モードまたは電話優先モードまたは電話モードに応答状態を切り替える技術が開示されている（例えば、特許文献１）。
【０００５】
【特許文献１】特開平１１−６９０１１号公報
【発明の開示】
【発明が解決しようとする課題】
【０００６】
特許文献１で開示されている技術によると、登録済みの電話番号であれば所定のモードに応答状態を切り替え接続時間の短縮や無駄な課金の発生を防止することが可能となっている。しかしながら、相手の電話番号毎に相手に見合ったモードを事前登録するのは困難であり、仮に登録できたとしても登録ミスで相手がファクシミリで発信時に電話通信に移行したり相手が電話で発信時にファクシミリ通信に移行したりするという問題がある。
【０００７】
本発明の課題は上記の従来技術の問題を解決することにある。
【課題を解決するための手段】
【０００８】
上記課題を解決するために、第１の発明は、１以上の外線を収容する電話およびファクシミリ通信を行う電話装置において、前記電話装置は前記外線からの着信時に発信者電話番号を受信する発番号受信手段と、ファクシミリ着信であるか否かを判定するＣＮＧ信号検出手段と、電話番号を電話専用番号またはファクシミリ専用番号または電話／ファクシミリ兼用番号の何れの着信種別であるかを識別して記憶する電話番号記憶手段と、前記電話番号記憶手段に記憶されていない発信者電話番号をファクシミリ着信の可能性のある番号または電話専用番号の何れであるかをＣＮＧ信号の有無によって分析する着信種別分析手段と、前記着信種別分析手段の分析結果に基づき前記電話番号記憶手段に電話番号および着信種別を登録する電話番号登録手段とを具備し、着信時の発信者電話番号が前記電話番号記憶手段に記憶されている電話番号と一致した場合に所定の着信処理を行う着信処理制御手段と、ファクシミリ着信が電話に接続してしまった場合に当該電話番号を電話専用番号から電話／ファクシミリ兼用番号に種別を所定の操作により変更する着信種別変更手段を備えたことを特徴とする。
【０００９】
また、第２の発明は、第1の発明の電話装置において、前記着信種別分析手段は、前記電話番号記憶手段に記憶されていない発信者電話番号がファクシミリ着信の場合に当該発信者電話番号を一時記憶し、同一電話番号からの着信が所定の回数連続してファクシミリ着信であった場合はファクシミリ専用番号であると判断し、所定の回数連続してファクシミリ着信でなかった場合は電話／ファクシミリ兼用番号であると判断することを特徴とする。
【発明の効果】
【００１０】
第１の発明によれば、電話装置に記憶されている電話番号で着信時は、発信者の電話番号と記憶している電話番号との照合により、電話専用番号またはファクシミリ専用番号の場合は、ＣＮＧ信号の検出を行わずに直接の電話接続またはファクシミリ接続に移行し、電話／ファクシミリ兼用番号の場合のみＣＮＧ信号の検出を行うようになり、発信者の電話番号毎に適切な接続移行処理を実施できる。また、電話装置に記憶されていない発信者電話番号の場合は必ずＣＮＧ信号の検出を行い、検出有無で以降の着信時でもＣＮＧ検出を行うか直接電話接続とするかが決定するため、最初の着信でＣＮＧ信号を検出しなかった電話番号は電話専用であるとみなして以降の着信はＣＮＧ信号の検出を行わずに直接内線電話機へ接続することができる。また、電話専用とみなした電話番号が次の着信時にファクシミリとして着信した場合は、電話応答時に電話装置でファクシミリ接続への切替操作を行った際に当該電話番号は電話／ファクシミリ兼用番号としての登録に変更され、以降は電話／ファクシミリ何れの着信であってもＣＮＧ検出を行って確実に電話接続／ファクシミリ接続をすることが可能となる。
【００１１】
更に第２の発明によれば、電話装置に記憶されていない発信者電話番号の場合は必ずＣＮＧ信号の検出を行い、ＣＮＧ信号を検出した場合は以降の同一発信者電話番号に対しては着信の都度ＣＮＧ信号検出を行い、前記同一発信者電話番号の着信に対して所定の回数（例えば５回）連続してＣＮＧ信号を検出した場合は、当該電話番号はファクシミリ専用であるとみなして以降の着信はＣＮＧ信号の検出を行わずに直接ファクシミリへ接続し、また、最初の着信でＣＮＧ信号を検出した場合であっても、当該電話番号の着信に対して所定の回数（例えば５回）連続してＣＮＧ信号を検出する前にＣＮＧ信号を検出できなかった着信があった場合は、当該電話番号は電話／ファクシミリ兼用であるとみなして以降の着信は必ずＣＮＧ信号の検出を行い、ＣＮＧ信号の検出有無でファクシミリ接続または電話接続を切り替え、以降は電話／ファクシミリ何れの着信であっても確実に接続することが可能となる。
【発明を実施するための最良の形態】
【００１２】
以下、本発明の実施形態について説明する。なお、以下の実施形態では、１以上の外線および複数の内線を収容するボタン電話主装置と、前記内線に接続される複数のボタン電話機および少なくとも１台のファクシミリ装置で構成されるボタン電話装置を例にあげて説明する。しかし、本発明はこれに限定されない。例えば、ボタン電話装置ではなく構内交換機で実施しても良い。また、ファクシミリ通信と電話通信機能を具備したファクシミリ装置で実施しても良い。更に、外線は、アナログ回線・ＩＳＤＮ回線・ＩＰ回線等、何れも利用できる。
【００１３】
図１は、本発明に係るボタン電話装置を構成するボタン電話主装置１０とボタン電話機２０とファクシミリ装置３０の構成概略図である。図２は、本発明に係るボタン電話主装置１０の中央制御部１１と、記憶部１２の機能ブロック図である。図３は、本発明に係る電話番号記憶手段の構成を示す概念図である。図４は、本発明に係る登録待ち電話番号一時記憶手段の構成を示す概念図である。図５は、本発明に係るボタン電話主装置１０の中央制御部１１内の着信時の発番号照合処理の全体の流れに関するフローチャートである。図６は、本発明に係るボタン電話主装置１０の中央制御部１１内の電話番号リストとの発番号照合処理の詳細の流れに関するフローチャートである。図７は、本発明に係るボタン電話主装置１０の中央制御部１１内の登録待ち電話番号リストとの発番号照合処理の詳細に流れに関するフローチャートである。
【００１４】
まず、図１を用いてボタン電話装置を構成するボタン電話主装置１０、ボタン電話機２０、およびファクシミリ装置３０の構成の概要を説明する。ボタン電話装置は、１以上の外線および複数の内線を収容するボタン電話主装置１０と、該ボタン電話主装置１０の内線に接続された複数のボタン電話機２０−１〜２０−ｎおよび少なくも１台のファクシミリ装置３０から構成される。
【００１５】
ボタン電話主装置１０は、少なくとも、中央制御部１１と、記憶部１２と、１以上の外線回路１３−１〜１３−ｍと、発番号受信部１４と、ＣＮＧ信号受信部１５と、通話路スイッチ１６と、単独電話機Ｉ／Ｆ１７と、複数のボタン電話機Ｉ／Ｆ１８−１〜１８−ｎとを有して構成される。
【００１６】
中央制御部１１は、ボタン電話主装置１０の各回路からの入力情報（ボタン電話機２０およびファクシミリ装置３０からの情報も含む）に対する分析や判断、記憶部１１に対する情報の入出力、各回路の制御を行う。
【００１７】
記憶部１２は、通常の記憶部としての働きの他に、発番号毎の着信種別を分析するための電話番号と種別や、各種機能動作の条件を決定するためのシステムデータ、等が記憶される。
【００１８】
外線回路１３−１〜１３−ｍは、外線に接続されるインタフェース回路である。本発明で開示している外線とは、一般公衆回線、ＩＰ電話事業者の回線、専用線、私設線、等も含まれる。なお、以降の説明では「外線回路１３」として説明する場合があるが、特定の外線回路を示すのではなく複数の外線回路の中で処理によって決定する何れかの外線回路を示している。
【００１９】
発番号受信部１４は、外線着信時に発番号を受信するモデム回路であり、通話路スイッチ１６経由で外線回路１３に接続される。なお、一般公衆回線のＩＳＤＮ回線の場合は、発番号情報は制御チャネルにて送信されるため、発番号受信部１４は不要である。また、本実施例では、発番号受信部１４は、外線回路１３とは独立させ複数の回線で共用する構成としているが、外線回路１３に１対１で対応させる構成でも良い。
【００２０】
ＣＮＧ信号受信部１５は、外線着信時にファクシミリからのＣＮＧ信号を受信する回路であり、通話路スイッチ１６経由で外線回路１３に接続される。本実施例では、ＣＮＧ信号受信部１５は、外線回路１３とは独立させ複数の回線で共用する構成としているが、外線回路１３に１対１で対応させる構成でも良い。
【００２１】
通話路スイッチ１６は、ボタン電話主装置１０内の交換処理（外線回線１３−１〜１３−ｍとボタン電話機Ｉ／Ｆ１８−１〜１８−ｎの接続、発番号受信部１４と外線回線１３−１〜１３−ｍの接続、ＣＮＧ信号受信部１５と外線回線１３−１〜１３−ｍの接続、他）を行う。
【００２２】
単独電話機Ｉ／Ｆ１７は、単独電話機（一般電話機とも言う）をボタン電話主装置１０に接続するためのインタフェース回路であり、ファクシミリ装置を接続するときも使用する。本実施例では単独電話機Ｉ／Ｆ１７は１回路となっているが、複数回路の構成としても良い。
【００２３】
ボタン電話機Ｉ／Ｆ１８−１〜１８−ｎは、ボタン電話機２０−１〜２０−ｎと音声や制御情報の通信を行うためのインタフェース回路である。
【００２４】
また、ボタン電話機２０は、少なくとも、制御部２１と、データ送受信回路２２と、音声処理部２３と、送受話器２４と、スピーカ２５と、ダイヤルキー２６と、外線キー２７と、機能キー２８と、ＬＣＤ表示器２９とを有して構成される。
【００２５】
制御部２１は、ボタン電話機２０内の各回路からの入力情報に対する解析や判断、各回路の制御を行う。
【００２６】
データ送受信回路２２は、内線を介してボタン電話主装置１０と音声データおよび制御データの通信を行うためのインタフェース回路である。
【００２７】
音声処理部２３は、音声のデジタル／アナログ変換、アナログ／デジタル変換と、ボタン電話機２０内の送受話器２４やスピーカ２５、等との通話パスの切替処理、および音量を制御する。
【００２８】
送受話器２４は、通話時の送話、受話を行うためのハンドセットである。
【００２９】
スピーカ２５は、外線着信音の鳴動や、スピーカによる相手音声の拡声に使用する。
【００３０】
ダイヤルキー２６は、発信時に電話番号や短縮ダイヤルを入力する手段であり、また、ボタン電話装置において一般的に用いられる電話帳データの登録や各種設定の入力手段としても用いられる。
【００３１】
外線キー２７は、複数ある外線から使用したい外線を選択するための複数のボタンであり、該ボタンに対応して外線の状態（着信中、使用中、保留中、他）を表示するＬＥＤ表示器を備えている。
【００３２】
機能キー２８は、複数備えられており、ボタン電話装置で一般的に使用する“保留”ボタン、“設定”ボタンの他、電話帳、発信履歴、着信履歴、等の検索を行うときに使用する専用のボタン、転送を行うときに使用する専用のボタン、等がある。
【００３３】
ＬＣＤ表示器２９は、現在の日時表示の他、着信時には発信者の電話番号や名称、等を表示し、発信時にはダイヤルした番号や通話時間、等を表示し、各種設定の入力時は入力データや設定結果、等も表示する。
【００３４】
次に、本発明に係るボタン電話主装置１０の中央制御部１１と記憶部１２の機能構成を、図２を用いて説明する。中央制御部１１は、少なくとも、外線回路制御手段Ｆ４０と、発番号受信手段Ｆ４１と、ＣＮＧ信号検出手段Ｆ４２と、通話路制御手段Ｆ４３と、着信種別分析手段Ｆ４４と、電話番号登録手段Ｆ４５と、着信処理制御手段Ｆ４６と、接続処理制御手段Ｆ４７と、ＦＡＸ接続手段Ｆ４８と、電話機接続手段Ｆ４９と、データ送受信手段Ｆ５０と、設定処理制御手段Ｆ５１と、着信種別変更手段Ｆ５２と、システムデータ登録手段Ｆ５３とを有し、記憶部１２は、電話番号記憶手段Ｆ５４と、登録待ち電話番号一時記憶手段Ｆ５５と、システムデータ記憶手段Ｆ５６とを有して構成される。
【００３５】
外線回路制御手段Ｆ４０は、外線回路１３に対し外線発信、外線着信の制御を行う機能を有しており、外線着信を検出すると外線着信を検出した旨を接続処理制御手段Ｆ４７に通知し、外線発信時は接続処理制御手段Ｆ４７からの指示により、外線発信制御を行う。
【００３６】
発番号受信手段Ｆ４１は、発番号受信部１４の制御を行い、発番号受信部１４が受信した発番号情報を着信種別分析手段Ｆ４４へ通知する機能を有している。なお、発番号情報を受信する制御方法は公知であるため省略する。
【００３７】
ＣＮＧ信号検出手段Ｆ４２は、ＣＮＧ信号受信部１５の制御を行い、ＣＮＧ信号受信部１５が受信した信号がＣＮＧ信号であるかを検出し、検出有無結果を着信種別分析手段Ｆ４４へ通知する機能を有している。なお、ＣＮＧ信号を検出する制御方法は公知であるため省略する。
【００３８】
通話路制御手段Ｆ４３は、接続処理制御手段Ｆ４７からの通話路接続指示に従い、各回路の通話路を接続する指示を通話路スイッチ１６へ出す機能を有している。例えば、外線着信検出時は該外線回路１３と発番号受信部１４間の通話路を接続し、ＣＮＧ信号検出が必要な場合は該外線回路１３とＣＮＧ信号受信部１５間の通話路を接続し、外線着信後に電話機が応答すると該外線回路１３と応答した電話機に対応するボタン電話機Ｉ／Ｆ１８間の通話路を接続する指示を通話路スイッチ１６へ出す。
【００３９】
着信種別分析手段Ｆ４４は、発番号受信手段Ｆ４１から受信した発番号およびＣＮＧ信号検出手段Ｆ４２から受信したＣＮＧ信号検出有無結果と、電話番号記憶手段Ｆ５４に記憶している電話番号および種別、登録待ち電話番号一時記憶手段Ｆ５５に記憶している電話番号との照合を行って着信種別の分析を行い、分析結果を着信処理制御手段Ｆ４６に通知すると共に前記発番号の登録や削除を電話番号登録手段Ｆ４５に指示する機能を有している。
【００４０】
電話番号登録手段Ｆ４５は、着信種別分析手段Ｆ４４からの指示に従って電話番号記憶手段Ｆ５４に対する電話番号と種別の登録や、登録待ち電話番号一時記憶手段Ｆ５５に対する電話番号の登録や削除を行う機能を有している。
【００４１】
着信処理制御手段Ｆ４６は、着信種別分析手段Ｆ４４からの指示に従って電話専用番号、ファクシミリ専用番号、電話／ファクシミリ兼用番号各々の着信処理を実行する機能を有している。
【００４２】
接続処理制御手段Ｆ４７は、着信処理制御手段Ｆ４６からの指示に従ってＦＡＸ呼出手段Ｆ４８または電話機呼出４９に対する呼出指示を行う。なお、接続処理制御手段Ｆ４６からの指示が電話／ファクシミリ兼用番号であった場合は、ＣＮＧ信号検出手段Ｆ４２からのＣＮＧ信号検出結果に基づき、ＦＡＸ呼出手段Ｆ４８または電話機呼出４９に対する呼出指示を行う。
【００４３】
ＦＡＸ接続手段Ｆ４８は、接続処理制御手段Ｆ４７から通知されるファクシミリの呼出指示に従って該当する単独電話機Ｉ／Ｆ１７に対する着信処理を開始する機能を有している。また、単独電話機Ｉ／Ｆ１７経由で受信したファクシミリ装置３０の応答操作等の受信結果を接続処理制御手段Ｆ４７に通知する機能を有している。
【００４４】
電話機接続手段Ｆ４９は、接続処理制御手段Ｆ４７から通知される電話機の呼出指示に従って電話機の着信処理を開始し、着信処理を行うデータをデータ送受信手段Ｆ５０に通知する機能を有している。また、データ送受信手段Ｆ５０経由で受信した応答情報等のボタン電話機２０の操作情報を接続処理制御手段Ｆ４７に通知する機能を有している。
【００４５】
データ送受信手段Ｆ５０は、ボタン電話機Ｉ／Ｆ１８経由でボタン電話機２０と制御データや音声データを送受信する機能を有している。電話機呼出手段Ｆ４９から通知される着信処理を行うためのランプ表示情報やＬＣＤ表示情報や着信音情報等のデータ、および設定処理制御手段Ｆ５１から通知される各種設定時の表示情報等のデータはボタン電話機Ｉ／Ｆ１８に送信される。また、ボタン電話機Ｉ／Ｆ１８から受信したボタン電話機２０の操作情報データは電話機接続手段Ｆ４９または設定処理制御手段Ｆ５１に引き渡される。
【００４６】
設定処理制御手段Ｆ５１は、データ送受信手段Ｆ５０から通知されたボタン電話機２０の操作情報を分析する機能を有している。ボタン電話機２０の操作内容に応じて、着信種別変更手段Ｆ５２またはシステムデータ登録手段Ｆ５３に操作情報が引き渡される。
【００４７】
着信種別変更手段Ｆ５２は、電話番号記憶手段Ｆ５４に電話専用番号として登録されている電話番号からの着信がファクシミリであった場合に、ボタン電話機２０でファクシミリへの転送操作を行うと転送操作の情報が設定処理制御手段Ｆ５１経由で通知され、前記電話番号記憶手段Ｆ５４に登録されている当該電話番号の種別を電話専用番号から電話／ファクシミリ兼用番号に変更する機能を有している。
【００４８】
システムデータ登録手段Ｆ５３は、設定処理制御手段Ｆ５１経由で通知されるボタン電話機２０からの操作情報に基づき、電話番号記憶手段Ｆ５４に対して電話番号を電話専用番号、ファクシミリ専用番号、電話／ファクシミリ兼用番号の種別と共に登録する機能と、システムデータ記憶手段Ｆ５６に対してシステムを運用する上で必要な各種システムデータを登録する機能を有している。なお、電話番号記憶手段Ｆ５４やシステムデータ記憶手段Ｆ５６に記憶するデータは、ボタン電話機２０による操作以外にパソコンを使用して登録することも可能である。
【００４９】
電話番号記憶手段Ｆ５４は、外線着信時にファクシミリまたは電話機への接続を効率的に行えるよう、複数の電話番号を電話専用番号、ファクシミリ専用番号、電話／ファクシミリ兼用番号の種別と共に記憶する機能を有しており、外線着信時は着信種別分析手段Ｆ４４により電話番号と種別が照合される。
【００５０】
登録待ち電話番号一時記憶手段Ｆ５５は、ファクシミリ専用番号か電話／ファクシミリ兼用番号かの判定が完了していない電話番号及び当該番号でのファクシミリの着信回数を一時記憶する機能を有しており、着信種別分析手段Ｆ４４の指示に基づき、電話番号登録手段Ｆ４５によって電話番号が登録される。
【００５１】
システムデータ記憶手段Ｆ５６は、システムを運用する上で必要な各種システムデータを記憶する機能を有している。着信種別分析手段Ｆ４４では同一電話番号でファクシミリの着信が所定の回数連続した場合に当該電話番号をファクシミリ専用番号として判断する機能を有しているが、所定の回数を何回とするかはシステムデータ記憶手段Ｆ５６に記憶している。
【００５２】
次に、電話番号記憶手段Ｆ５４内の構成例について図３を用いて説明する。電話番号と着信種別を対に記憶しており、着信時に着信種別を判定するために着信種別分析手段Ｆ４４によって照合される。
【００５３】
次に、登録待ち電話番号一時記憶手段Ｆ５５内の構成例について図４を用いて説明する。電話番号記憶手段Ｆ５４に記憶されていない電話番号で、１回以上ファクシミリ着信があった電話番号と当該電話番号のファクシミリ着信回数カウンタ値を一時的に記憶しており、着信種別分析手段Ｆ４４によって照合される。着信種別分析手段Ｆ４４はファクシミリ着信の回数が所定の回数（例えば５回）になるとファクシミリ専用番号であると判断し、所定の回数（例えば５回）に達する前に電話の着信があった場合は電話／ファクシミリ兼用番号であると判断し、電話番号登録手段Ｆ４５によって当該電話番号は電話番号記憶手段Ｆ５４に登録され、登録待ち電話番号一時記憶手段Ｆ５５から削除される。
【００５４】
次に、上記実施の形態におけるボタン電話主装置１０側の着信時の発番号照合処理の全体の流れについて、図５を用いて説明する。なお、図５において、各ステップの順番は一例を示すものであり、作用・効果を変更しない範囲で任意に入れ替えても良い。
【００５５】
まず、外線着信後、発番号受信処理を行う（Ｓ１０１）。発番号受信処理は公知であるため詳細は省略する。
【００５６】
ステップＳ１０１で受信した発番号が電話番号記憶手段Ｆ５４の電話番号リストに登録されている電話番号と一致するか照合し（Ｓ１０２）、一致している場合（Ｙｅｓ）は電話番号リストとの照合処理（Ｓ１０３）に移行し、一致していない場合（Ｎｏ）は登録待ち電話番号一時記憶手段Ｆ５５の登録待ち電話番号リストとの照合処理（Ｓ１０４）に移行する。
【００５７】
次に、上記実施の形態における電話番号記憶手段Ｆ５４の電話番号リストとの照合処理の流れについて、図６を用いて説明する。なお、図６において、各ステップの順番は一例を示すものであり、作用・効果を変更しない範囲で任意に入れ替えても良い。
【００５８】
まず、図５のステップＳ１０１で受信した発番号と一致する電話番号記憶手段Ｆ５４の電話番号の種別が電話専用番号であるかチェックし（Ｓ２０１）、電話専用番号の場合（Ｙｅｓ）は、電話機呼出処理（Ｓ２０２）に移行し、電話機が着信に応答すると電話機応答後の接続処理（Ｓ２０３）に移行し通話状態へと遷移する。
【００５９】
電話機応答後、応答した着信がファクシミリ通信であった場合は、応答者の所定の操作によりファクシミリへの転送操作を行うことができる。ファクシミリへの転送操作の例としては、外線を保留後にファクシミリ内線を呼び出して転送操作をする一般的な方法や、電話機で応答後に一定時間以内で終話するとファクシミリへ自動転送する方法等があるが、本発明では特に規定しない。電話機応答後の接続処理（Ｓ２０３）以降は電話機が終話するまで（Ｓ２０６）ファクシミリへの転送があったか監視している（Ｓ２０４）。
【００６０】
ステップＳ２０４でファクシミリへの転送操作があった場合（Ｙｅｓ）は、当該発番号は電話専用番号ではなく電話／ファクシミリ兼用番号であると断定できるので、電話番号記憶手段Ｆ５５に記憶されている当該発番号に一致する電話番号の種別を電話専用番号から電話／ファクシミリ兼用番号に変更を行い（Ｓ２０５）処理を終了する。
【００６１】
ステップＳ２０４でファクシミリへの転送がなく（Ｎｏ）、電話機が終話した場合（ステップＳ２０６でＹｅｓ）は、当該発番号は電話専用番号であると断定できるので、電話番号記憶手段Ｆ５５に対する種別変更は行わずに処理を終了する。
【００６２】
ステップＳ２０１で電話番号の種別が電話専用番号でない場合（Ｎｏ）は、ファクシミリ専用番号であるかチェックし（Ｓ２０７）、ファクシミリ専用番号の場合（Ｙｅｓ）は、ファクシミリ呼出処理（Ｓ２０８）に移行する。その後は、ファクシミリが着信に応答するとファクシミリ応答後の接続処理（Ｓ２０９）に移行しファクシミリの通信状態へと遷移し処理を終了する。
【００６３】
ステップＳ２０７でファクシミリ専用番号でない場合（Ｎｏ）は、当該発番号は電話／ファクシミリ兼用番号となるので、ＣＮＧ信号検出処理（Ｓ２１０）を実行しＣＮＧ信号検出有無をチェックする（Ｓ２１１）。
【００６４】
ステップＳ２１１でＣＮＧ信号を検出した場合（Ｙｅｓ）は、ファクシミリ呼出処理（Ｓ２１２）に移行する。その後は、ファクシミリが着信に応答するとファクシミリ応答後の接続処理（Ｓ２１３）に移行しファクシミリの通信状態へと遷移し処理を終了する。
【００６５】
ステップＳ２１１でＣＮＧ信号を検出しなかった場合（Ｎｏ）は、電話機呼出処理（Ｓ２１４）に移行する。その後は、電話機が着信に応答すると電話機応答後の接続処理（Ｓ２１５）に移行し通話状態へと遷移し処理を終了する。
【００６６】
次に、上記実施の形態における登録待ち電話番号一時記憶手段Ｆ５５の登録待ち電話番号リストとの照合処理の流れについて、図７を用いて説明する。なお、図７において、各ステップの順番は一例を示すものであり、作用・効果を変更しない範囲で任意に入れ替えても良い。なお、図７では電話機やファクシミリの応答後の処理については本発明に直接関係しないため省略している。
【００６７】
まず、図５のステップＳ１０１で受信した発番号が登録待ち電話番号一時記憶手段Ｆ５５の電話番号と一致するかチェックし（Ｓ３０１）、一致する電話番号がある場合（Ｙｅｓ）は、当該電話番号はファクシミリ専用番号か電話／ファクシミリ兼用番号かが決定していないため、ＣＮＧ信号検出処理（Ｓ３０２）を実行しＣＮＧ信号検出有無をチェックする（Ｓ３０３）。
【００６８】
ステップＳ３０３でＣＮＧ信号を検出した場合（Ｙｅｓ）は、ファクシミリ呼出処理（Ｓ３０４）に移行し、当該電話番号のファクシミリ着信回数カウンタを加算し（Ｓ３０５）、ファクシミリ着信回数のカウンタ値が規定値になったかどうかチェックする（Ｓ３０６）。なお、ファクシミリ着信回数の規定値に関してはシステムデータ記憶手段Ｆ５６に設定されている。
【００６９】
ステップＳ３０６でファクシミリ着信回数のカウンタ値が規定値になった場合（Ｙｅｓ）は、当該電話番号はファクシミリ専用番号と判断し、電話番号記憶手段Ｆ５４にファクシミリ専用番号として当該電話番号を登録する（Ｓ３０７）と共に登録待ち電話番号一時記憶手段Ｆ５５から当該電話番号を削除して（Ｓ３０８）処理を終了する。
【００７０】
ステップＳ３０６でファクシミリ着信回数のカウンタ値が規定値になっていない場合（Ｎｏ）は、そのまま処理を終了する。
【００７１】
ステップＳ３０３でＣＮＧ信号を検出しなかった場合（Ｎｏ）は、電話機呼出処理（Ｓ３０９）に移行し、当該電話番号は電話／ファクシミリ兼用番号であると判断し、電話番号記憶手段Ｆ５４に電話／ファクシミリ兼用番号として当該電話番号を登録する（Ｓ３１０）と共に登録待ち電話番号一時記憶手段Ｆ５５から当該電話番号を削除して（Ｓ３１１）処理を終了する。
【００７２】
ステップＳ３０１で一致する電話番号がない場合（Ｎｏ）は新規の電話番号となるので、電話の着信かファクシミリの着信かの判定が必要であり、ステップＳ３０２と同様にＣＮＧ信号検出処理（Ｓ３１２）を実行しＣＮＧ信号検出有無をチェックする（Ｓ３１３）。但し、ステップＳ３０１で一致する電話番号がある場合（Ｙｅｓ）と以降の処理が異なる。
【００７３】
ステップＳ３１３でＣＮＧ信号を検出した場合（Ｙｅｓ）は、ファクシミリ呼出処理（Ｓ３１４）に移行し、当該電話番号を登録待ち電話番号一時記憶手段Ｆ５５に新規登録し（Ｓ３１５）、当該電話番号のファクシミリ着信回数カウンタに１をセットし（Ｓ３１６）処理を終了する。
【００７４】
ステップＳ３１３でＣＮＧ信号を検出しなかった場合（Ｎｏ）は、電話機呼出処理（Ｓ３１７）に移行し、当該電話番号は電話専用番号であると判断し、電話番号記憶手段Ｆ５４に電話専用番号として当該電話番号を登録して（Ｓ３１８）処理を終了する。
【図面の簡単な説明】
【００７５】
【図１】本発明に係るボタン電話主装置１０、ボタン電話機２０、およびファクシミリ装置３０の構成概略図。
【図２】本発明に係る中央制御部１１と、記憶部１２の機能ブロック図。
【図３】本発明に係る電話番号記憶手段の電話番号リストの構成例を説明する図。
【図４】本発明に係る登録待ち電話番号一時記憶手段の登録待ち電話番号リストの構成例を説明する図。
【図５】本発明に係るボタン電話主装置１０の中央制御部１１内の着信時の発番号照合処理の全体の流れに関するフローチャート。
【図６】本発明に係るボタン電話主装置１０の中央制御部１１内の電話番号リストとの発番号照合処理の詳細の流れに関するフローチャート。
【図７】本発明に係るボタン電話主装置１０の中央制御部１１内の登録待ち電話番号リストとの発番号照合処理の詳細の流れに関するフローチャート。
【符号の説明】
【００７６】
１０  ボタン電話主装置
１１  中央制御部
１２  記憶部
１３  外線回路
１４  発番号受信部
１５  ＣＮＧ信号受信部
１６  通話路スイッチ
１７  単独電話機Ｉ／Ｆ
１８  ボタン電話機Ｉ／Ｆ
２０  ボタン電話機
２１  制御部
２２  データ送受信回路
２３  音声処理部
２４  送受話器
２５  スピーカ
２６  ダイヤルキー
２７  外線キー
２８  機能キー
２９  ＬＣＤ表示器
３０  ファクシミリ装置
Ｆ４０  外線回路制御手段
Ｆ４１  発番号受信手段
Ｆ４２  ＣＮＧ信号検出手段
Ｆ４３  通話路制御手段
Ｆ４４  着信種別分析手段
Ｆ４５  電話番号登録手段
Ｆ４６  着信処理制御手段
Ｆ４７  接続処理制御手段
Ｆ４８  ＦＡＸ接続手段
Ｆ４９  電話機接続手段
Ｆ５０  データ送受信手段
Ｆ５１  設定処理制御手段
Ｆ５２  着信種別変更手段
Ｆ５３  システムデータ登録手段
Ｆ５４  電話番号記憶手段
Ｆ５５  登録待ち電話番号一時記憶手段
Ｆ５６  システムデータ記憶手段
【図１】
2010062932.tif 000003
【図２】
2010062932.tif 000004
【図３】
2010062932.tif 000005
【図４】
2010062932.tif 000006
【図５】
2010062932.tif 000007
【図６】
2010062932.tif 000008
【図７】
2010062932.tif 000009